(57)【要約】【課題】  調整の前後で演奏者に違和感を感じさせることなく、演奏者の好みに合わせてバランスよく静荷重を調整することができる静荷重可変装置及び鍵盤楽器を提供する。【解決手段】  静荷重可変装置のウエイトレバー１は、ウエイトレバー１を移動するアームを操作して移動した移動量に応じて変化する各鍵盤の静荷重の変化量が、白鍵１１０ａと黒鍵１１０ｂとで同じになるよう、ウエイトレバー１の長手方向に沿った長さを、白鍵１１０ａと対になるもの１ａよりも黒鍵１１０ｂと対になるもの１ｂの方が長くなるよう形成した。このように構成すると、ウエイトレバー１を移動して静荷重を変化させても、白鍵１１０ａと黒鍵１１０ｂの静荷重は一律に変化するので、白鍵１１０ａと黒鍵１１０ｂとで静荷重の差が生じることが防止される。従って、演奏者の好みに合わせバランスよく静荷重を調整することができる。【選択図】  図１
2005208244.tif 000002
【特許請求の範囲】
【請求項１】
長尺状に形成された複数のウエイトレバーと、
該ウエイトレバーの長手方向の一端側が上下方向に揺動するよう、前記各ウエイトレバーの長手方向の他端側を鍵盤の上方で回動可能に支持すると共に、対になる前記鍵盤の上面であって前記ウエイトレバーの支持位置より演奏者側あるいは非演奏者側に設けられた突起に前記ウエイトレバーの一端側が載る位置で支持し、また、前記各ウエイトレバーを前記鍵盤の配列方向に沿って並べて支持する支持手段と、
外部からの操作により、前記ウエイトレバーの他端側が前記突起に近づくあるいは遠ざかる方向に前記支持手段を移動する移動手段と
を備え、
前記移動手段を操作して前記各ウエイトレバーを一斉に移動することで、前記各鍵盤の押鍵時の静荷重を一斉に変更可能な静荷重可変装置において、
前記各ウエイトレバーは、
前記移動手段を操作して移動した移動量に応じて変化する前記各鍵盤の静荷重の変化量が、白鍵と黒鍵とで同じになるように形成されたことを特徴とする静荷重可変装置。  
【請求項２】
請求項１記載の静荷重可変装置において、
前記各ウエイトレバーの長手方向に垂直な断面積は、前記白鍵よりも前記黒鍵と対になるものの方が大きいことを特徴とする静荷重可変装置。
【請求項３】
請求項２記載の静荷重可変装置において、
前記各ウエイトレバーの配列方向の幅は、前記白鍵よりも前記黒鍵と対になるものの方が広いことを特徴とする静荷重可変装置。
【請求項４】
請求項１記載の静荷重可変装置において、
前記各ウエイトレバーの長手方向に沿った長さは、前記白鍵よりも前記黒鍵と対になるものの方が長いことを特徴とする静荷重可変装置。
【請求項５】
請求項１〜４いずれか記載の静荷重可変装置において、
前記ウエイトレバーは、低音から高音までを複数のブロックに分けられ、同じブロック内では前記黒鍵及び前記白鍵の前記移動に伴う静荷重の変化量が同じになるように構成されたことを特徴とする静荷重可変装置。
【請求項６】
請求項５記載の静荷重可変装置において、
前記各ブロックの静荷重の変化量は、低音側ほど大きくなるよう構成されていることを特徴とする静荷重可変装置。
【請求項７】
長尺状に形成された複数のウエイトレバーと、
該ウエイトレバーの長手方向の一端側が上下方向に揺動するよう、前記各ウエイトレバーの長手方向の他端側を鍵盤の上方で回動可能に支持すると共に、対になる前記鍵盤の上面であって前記ウエイトレバーの支持位置より演奏者側あるいは非演奏者側に設けられた突起に前記ウエイトレバーの一端側が載る位置で支持し、また、前記各ウエイトレバーを前記鍵盤の配列方向に沿って並べて支持する支持手段と、
外部からの操作により、前記ウエイトレバーの他端側が前記突起に近づくあるいは遠ざかる方向に前記支持手段を移動する移動手段と
を備え、
前記移動手段を操作して前記各ウエイトレバーを一斉に移動することで、前記各鍵盤の押鍵時の静荷重を一斉に変更可能な静荷重可変装置において、
前記各ウエイトレバーは、
前記移動手段を操作して移動した移動量に応じて変化する前記各鍵盤の静荷重の変化量が、低音側ほど大きい形状に形成されたことを特徴とする静荷重可変装置。
【請求項８】
請求項７記載の静荷重可変装置において、
前記各ウエイトレバーは、低音側ほど長手方向の長さが長く形成されたことを特徴とする静荷重可変装置。
【請求項９】
請求項１〜８いずれか記載の静荷重可変装置において、
前記ウエイトレバーの演奏者側を揃えて配置したことを特徴とする静荷重可変装置。
【請求項１０】
請求項１〜８いずれか記載の静荷重可変装置において、
前記ウエイトレバーの非演奏者側を揃えて配置したことを特徴とする静荷重可変装置。
【請求項１１】
請求項１〜１０いずれか記載の静荷重可変装置において、
前記突起は前記鍵盤に螺入されたキャプスタンスクリューであることを特徴とする静荷重可変装置。
【請求項１２】
請求項１〜１１いずれか記載の静荷重可変装置を備えることを特徴とする鍵盤楽器。
【請求項１３】
長尺状に形成された複数のウエイトレバーと、
該ウエイトレバーの長手方向の一端側が上下方向に揺動するよう、前記各ウエイトレバーの長手方向の他端側を鍵盤の上方で回動可能に支持すると共に、対になる前記鍵盤の上面であって前記ウエイトレバーの支持位置より演奏者側あるいは非演奏者側に設けられた突起に前記ウエイトレバーの一端側が載る位置で支持し、また、前記各ウエイトレバーを前記鍵盤の配列方向に沿って並べて支持する支持手段と、
外部からの操作により、前記ウエイトレバーの他端側が前記突起に近づくあるいは遠ざかる方向に前記支持手段を移動する移動手段と
を備え、
前記移動手段を操作して前記各ウエイトレバーを一斉に移動することで、前記各鍵盤の押鍵時の静荷重を一斉に変更可能な静荷重可変装置において、
前記各ウエイトレバーは、
同一形状及び同一重量で形成され、前記鍵盤の配列方向に沿って平行に並べられ、他端側が前記鍵盤の配列方向に沿った回転軸に回動可能に支持され、
前記突起は、
前記移動手段を操作して移動した移動量に応じて変化する前記各鍵盤の静荷重の変化量が、白鍵と黒鍵とで同じになるよう、白鍵に取り付けられているものよりも黒鍵に取り付けられているものの方が、前記ウエイトレバーの他端側に近い位置に設置されていることを特徴とする静荷重可変装置。
【請求項１４】
請求項１３記載の静荷重可変装置において、
前記ウエイトレバーは、低音から高音までを複数のブロックに分けられ、
静荷重の変化量は、そのブロック毎に設定され、かつ、低音側ほど大きくなるよう設定され、
前記突起は、各ブロックごとに設定された静荷重の変化量となる位置に設置されていることを特徴とする静荷重可変装置。
【発明の詳細な説明】
【技術分野】
【０００１】
本発明は、静荷重可変装置及び該静荷重可変装置を備える鍵盤楽器に関する。
【背景技術】
【０００２】
従来より、鍵盤に掛かる静荷重を変えることができる静荷重可変装置を備えた鍵盤楽器がある。
この静荷重可変装置１００は、図９に示すように、レール１０１と、支持部材１０２と、ストッパレール１０３と、フレンジ１０４と、ウエイトレバー１０５と、アーム１０６とを備えている。
【０００３】
このうちレール１０１は棚板１２０上に複数備えられ、鍵盤１１０の配列方向（図８の紙面に垂直な方向）に所定間隔毎に配置されている。そしてこれらのレール１０１は、上レール１０１ａと下レール１０１ｂとからなっており、下レール１０１ｂは、演奏者側から非演奏者側に向かう方向に沿って配置され、棚板１２０の上に固定されている。一方、上レール１０１ａは、下レール１０１ｂと平行に配置され、下レール１０１ｂの上をその長手方向に沿って摺動する。
【０００４】
支持部材１０２は、各レール１０１に設けられ、高さ方向の下端が上レール１０１ａ上に固定され、上端が鍵盤１１０の上方に位置する大きさに形成されている。この支持部材１０２は、上レール１０１ａの摺動に伴って移動する。
【０００５】
ストッパレール１０３は、長尺に形成され、その長手方向と鍵盤１１０の配列方向とか一致するように、各支持部材１０２によって鍵盤１１０の上方に架けられている。また、このストッパレール１０３は、演奏者側と非演奏者側の両辺部が、下方に向かって折り曲げられた断面コ字状に形成されている。
【０００６】
フレンジ１０４は、演奏者側で折り曲げられたストッパレール１０３の辺部の下端に吊り下げらえた状態で鍵盤１１０の上方に固定され、鍵盤１１０と同じ数だけ鍵盤１１０の配列方向に沿って並べて取り付けられている。
【０００７】
ウエイトレバー１０５は、長尺状に形成され、その長手方向の一端側が、非演奏者側で上下方向に揺動するよう、その長手方向の他端側がフレンジ１０４の下端に回動可能に支持されている。また、このウエイトレバー１０５は、対になる鍵盤１１０の上面であって、フレンジ１０４に支持される支持位置より非演奏者側に設けられた突起であるキャプスタンスクリュー１１１に一端側が載るよう支持されている。また、このウエイトレバー１０５は、鍵盤１１０と同じ数だけ鍵盤１１０の配列方向に沿って並べて各フレンジ１０４に取り付けられている。
【０００８】
このウエイトレバー１０５は、鍵盤１１０を押鍵すると鍵盤１１０に一端側が持ち上げられ、他端側を中心に回転する。その後鍵盤１１０から離れ、慣性運動によりさらに上昇し、ストッパレール１０３の非演奏者側の折り曲げられた辺部の下端に当たり、その後下方に落ちて、再び鍵盤１１０の上に載る。演奏の際は、打弦装置１３０とこのウエイトレバー１０５の重量が押鍵時の静荷重として作用する。
【０００９】
アーム１０６は、最も外側に設置された両方の上レール１０１ａのそれぞれの外側に設置されている。各アーム１０６の一端は、棚板１２０の下面に設けられた取付部１２３に回動可能に固定され、他端側は棚板１２０を貫きその上方まで延びている。そして、その略中間付近で上レール１０１ａの演奏者側の端部に接続されている。
【００１０】
次に、この静荷重可変装置１００を備える鍵盤楽器（アップライトピアノ）の各鍵盤１１０の非演奏者側の端部上面には、先端にキャプスタンボタン１１３を備えるキャプスタンワイヤ１１２が取り付けられ、鍵盤１１０を押下すると、打弦装置１３０を構成するウィペン１３１を持ち上げるよう構成されている。
【００１１】
各鍵盤１１０の上面であって、キャプスタンワイヤ１１２と、鍵盤１１０の揺動中心を貫くバランスピン１２２との略中間地点には、キャプスタンスクリュー１１１が取り付けられている。ウエイトレバー１０５は、その一端側がこのキャプスタンスクリュー１１１を介して鍵盤１１０の上に載っている。
【００１２】
以上のように構成された静荷重可変装置１００を備える鍵盤楽器では、アーム１０６の上端を矢印Ａのように操作して非演奏者方向に倒すと、上レール１０１ａが非演奏者側にスライドし、ウエイトレバー１０５は矢印Ｂのように非演奏者側に移動する。すると、このウエイトレバー１０５の支点１０４ａとキャプスタンスクリュー１１１との接点１０５ａとの距離が変化するので、鍵盤１１０にかかる静荷重を変化させることができる。
【００１３】
このように構成された静荷重可変装置１００を備えていると、演奏者の好みに応じて静荷重を自在に調整することができる。（特許文献１）
【特許文献１】特開２００３−２１６１４３号公報
【発明の開示】
【発明が解決しようとする課題】
【００１４】
ところで、一般に鍵盤楽器では、図１０に示すように、白鍵１１０ａは黒鍵１１０ｂより長いので、同じ位置で揺動させると黒鍵１１０ｂのあがき量が白鍵のあがき量に比べて小さくなりすぎ、また、白鍵１１０ａのほうが黒鍵１１０ｂよりも静荷重が小さくなりすぎてしまう。そこで、白鍵１１０ａと黒鍵１１０ｂとでアガキ量及び静荷重の差をなくすため、鍵盤１１０の揺動中心となるバランスピン１２２を、白鍵１１０ａの場合は中筬１２１の演奏者側（図１０（ａ））、黒鍵１１０ｂの場合は中筬１２１の非演奏者側（図１０（ｂ））に設置している。
【００１５】
また、上述したウエイトレバー１０５は、図１１に示すように、一枚板を複数に切断して形成され、白鍵１１０ａ、黒鍵１１０ｂを問わず同一形状・同一重量のものを用いて構成されている。
【００１６】
しかし、従来の静荷重可変装置１００では、黒鍵１１０ｂの揺動中心からキャプスタンスクリュー１１１までの距離が白鍵１１０ａの場合に比べて近く、また、上述したように同一形状、同一重量のウエイトレバー１０５を用いているので、同じ距離だけウエイトレバーを移動すると、黒鍵１１０ｂの方が白鍵１１０ａよりも静荷重の変化量が小さかった。そのため従来の静荷重可変装置１００で静荷重を調整すると、白鍵１１０ａ及び黒鍵１１０ｂの静荷重に差が生じるので、その差に伴う違和感を演奏者に感じさせてしまうという問題があった。
【００１７】
また、従来の静荷重可変装置１００では、打弦装置１３０の影響で、高音側の鍵盤１１０の方が低音側の鍵盤１１０よりも静荷重が小さく、また、上述したように同一形状、同一重量のウエイトレバー１０５を用いているので、同じ距離だけウエイトレバーを移動すると、高音側の静荷重に対する低音側の静荷重の割合が変化する。具体的には、当初の低音の鍵盤１１０の静荷重が５で高音の鍵盤１１０の静荷重が１で、増加した静荷重が１であるとしたら、それぞれ６，２に静荷重が増加するが、静荷重の割合が５：１だったものが３：１になってしまっていた。そのため従来の静荷重可変装置１００で静荷重を調整すると、静荷重の割合が変化するので、その割合が変化に伴う違和感を演奏者に感じさせてしまうという問題があった。
【００１８】
そこで本発明では、上述した問題点を解決し、静荷重の調整の前後で演奏者に違和感を感じさせることなく、演奏者の好みに合わせてバランスよく静荷重を調整することができる静荷重可変装置及び鍵盤楽器を提供することを目的とする。
【課題を解決するための手段】
【００１９】
上述した問題点を解決するためになされた請求項１に記載の発明は、長尺状に形成された複数のウエイトレバーと、該ウエイトレバーの長手方向の一端側が上下方向に揺動するよう、前記各ウエイトレバーの長手方向の他端側を鍵盤の上方で回動可能に支持すると共に、対になる前記鍵盤の上面であって前記ウエイトレバーの支持位置より演奏者側あるいは非演奏者側に設けられた突起に前記ウエイトレバーの一端側が載る位置で支持し、また、前記各ウエイトレバーを前記鍵盤の配列方向に沿って並べて支持する支持手段と、外部からの操作により、前記ウエイトレバーの他端側が前記突起に近づくあるいは遠ざかる方向に前記支持手段を移動する移動手段とを備え、前記移動手段を操作して前記各ウエイトレバーを一斉に移動することで、前記各鍵盤の押鍵時の静荷重を一斉に変更可能な静荷重可変装置において、前記各ウエイトレバーは、前記移動手段を操作して移動した移動量に応じて変化する前記各鍵盤の静荷重の変化量が、白鍵と黒鍵とで同じになるように形成されたことを特徴とする。
【００２０】
このように構成すると、ウエイトレバーを移動して静荷重を変化させても、白鍵と黒鍵の静荷重は一律に変化するので、黒鍵と白鍵とで静荷重の差が生ずることが防止される。従って、この静荷重可変装置を用いれば、静荷重に差が生ずることに伴う違和感を演奏者に感じさせることなく、演奏者の好みに合わせバランスよく静荷重を調整することができる。
【００２１】
尚、ウエイトレバーは、請求項５に記載したように、低音から高音までを複数のブロックに分けられ、同じブロック内では黒鍵及び白鍵の移動に伴う静荷重の変化量が同じになるように構成し、他のブロックとは静荷重が異なってもよい。その場合、請求項６に記載したように、各ブロックの静荷重の変化量は、低音側ほど大きくなるよう構成するのが好ましい。
【００２２】
ところで、ウエイトレバーの具体的は形状としては、請求項２に記載したように、長手方向に垂直な断面積を、白鍵よりも黒鍵と対になるものの方が太くなるように形成するとよい。その場合、請求項３に記載したように、ウエイトレバーの配列方向の幅を、白鍵よりも黒鍵と対になるもの方が広くなるように形成するとよい。このようにすると一枚の平板から複数のウエイトレバーを切り出す場合、幅を変えるだけで、白鍵あるいは黒鍵と対になるものとを区別して簡単に切り出せるからである。あるいは、請求項４に記載したように、ウエイトレバーの長手方向に沿った長さを、白鍵よりも黒鍵と対になるものの方が長くなるように形成してもよい。
【００２３】
次に、請求項７記載の発明は、長尺状に形成された複数のウエイトレバーと、該ウエイトレバーの長手方向の一端側が上下方向に揺動するよう、前記各ウエイトレバーの長手方向の他端側を鍵盤の上方で回動可能に支持すると共に、対になる前記鍵盤の上面であって前記ウエイトレバーの支持位置より演奏者側あるいは非演奏者側に設けられた突起に前記ウエイトレバーの一端側が載る位置で支持し、また、前記各ウエイトレバーを前記鍵盤の配列方向に沿って並べて支持する支持手段と、外部からの操作により、前記ウエイトレバーの他端側が前記突起に近づくあるいは遠ざかる方向に前記支持手段を移動する移動手段とを備え、前記移動手段を操作して前記各ウエイトレバーを一斉に移動することで、前記各鍵盤の押鍵時の静荷重を一斉に変更可能な静荷重可変装置において、前記各ウエイトレバーは、前記移動手段を操作して移動した移動量に応じて変化する前記各鍵盤の静荷重の変化量が、低音側ほど大きい形状に形成されたことを特徴とする。
【００２４】
このように構成すると、ウエイトレバーを移動して静荷重を変化させても、鍵盤の静荷重は、高音側ほど小さく変化するので、高音側の静荷重に対する低音側の静荷重の割合が大きく変化することが防止される。従って、この静荷重可変装置を用いれば、その変化によって生じる違和感を演奏者に感じさせることなく、演奏者の好みに合わせバランスよく静荷重を調整することができる。
【００２５】
具体的には、請求項８に記載したように、低音側ほど長手方向の長さが長く形成されたウエイトレバーを用いればよい。
尚、請求項９に記載したように、ウエイトレバーの演奏者側を揃えて配置したり、請求項１０に記載したように、ウエイトレバーの非演奏者側を揃えて配置すると、見栄えをよくすることができる。
【００２６】
また、突起はどのようなものでもよいが、請求項１１に記載したように、キャプスタンスクリューを鍵盤に螺入して形成することが好ましい。
請求項１２に記載したように、請求項１〜９いずれか記載の静荷重可変装置を備えれば、静荷重をバランスよく調整することができる鍵盤楽器を形成することができる。
【００２７】
次に、請求項１３に記載したように、長尺状に形成された複数のウエイトレバーと、該ウエイトレバーの長手方向の一端側が上下方向に揺動するよう、前記各ウエイトレバーの長手方向の他端側を鍵盤の上方で回動可能に支持すると共に、対になる前記鍵盤の上面であって前記ウエイトレバーの支持位置より演奏者側あるいは非演奏者側に設けられた突起に前記ウエイトレバーの一端側が載る位置で支持し、また、前記各ウエイトレバーを前記鍵盤の配列方向に沿って並べて支持する支持手段と、外部からの操作により、前記ウエイトレバーの他端側が前記突起に近づくあるいは遠ざかる方向に前記支持手段を移動する移動手段とを備え、前記移動手段を操作して前記各ウエイトレバーを一斉に移動することで、前記各鍵盤の押鍵時の静荷重を一斉に変更可能な静荷重可変装置において、前記各ウエイトレバーは、同一形状及び同一重量で形成され、前記鍵盤の配列方向に沿って平行に並べられ、他端側が前記鍵盤の配列方向に沿った回転軸に回動可能に支持され、前記突起は、前記移動手段を操作して移動した移動量に応じて変化する前記各鍵盤の静荷重の変化量が、白鍵と黒鍵とで同じになるよう、白鍵に取り付けられているものよりも黒鍵に取り付けられているものの方が、前記ウエイトレバーの他端側に近い位置に設置されていることを特徴とする。
【００２８】
このようにすると、各ウエイトレバーを、同一形状及び同一重量で形成すればよいので、製造が簡素化される。しかも、この発明では、白鍵に取り付けられているものよりも黒鍵に取り付けられているものの方が、ウエイトレバーの他端側に近い位置に突起を設置するだけの簡単な位置決め作業を行うだけで、移動手段を操作して移動した移動量に応じて変化する各鍵盤の静荷重の変化量が、白鍵と黒鍵とで同じになるように調整することができる。
【００２９】
この場合、請求項１４に記載したように、請求項１３記載の静荷重可変装置において、ウエイトレバーを、低音から高音までを複数のブロックに分け、静荷重の変化量を、そのブロック毎に設定し、かつ、低音側ほど大きくなるよう設定し、突起を、各ブロックごとに設定された静荷重の変化量となる位置に設置してもよい。
【発明を実施するための最良の形態】
【００３０】
以下、本発明を実施するための最良の形態について図面を用いて説明する。
尚、以下の説明では、背景技術の欄で静荷重可変装置及びその周辺の鍵盤楽器の構成については詳細に説明したのでその説明については省略し、以下の説明で必要な構成であって、すでに説明した構成については同一符号を付して説明する。これに伴い、以下の説明では、背景技術の欄で説明した静荷重可変装置とは異なる構成のみ説明する。
［第１実施形態］
ここで図１は、本実施形態の静荷重可変装置のウエイトレバー１と、鍵盤１１０、中筬１２１、バランスピン１２２についてのみ示し、鍵盤１１０の配列方向に垂直な鍵盤１１０の側面を見た側面模式図である。図２は、本実施形態の静荷重可変装置のウエイトレバー１と、鍵盤１１０、バランスピン１２２についてのみ示し、鍵盤１１０を上方から見た平面模式図である。
【００３１】
本実施形態の静荷重可変装置のウエイトレバー１は、本発明の移動手段であるアーム１０６（図８参）を操作して移動した移動量に応じて変化する各鍵盤の静荷重の変化量が、白鍵１１０ａと黒鍵１１０ｂとで同じになるように形成されている。具体的には、図１および図２に示すように、ウエイトレバー１の長手方向に沿った長さを、白鍵１１０ａと対になるウエイトレバー１ａよりも黒鍵１１０ｂと対になるウエイトレバー１ｂの方が長くなるよう形成した。より具体的には、各ウエイトレバー１の移動量当たりの静荷重の変化量が、白鍵１１０ａ及び黒鍵１１０ｂのいずれも等しくなる長さに形成した。
【００３２】
このように構成すると、ウエイトレバー１を移動して静荷重を変化させても、白鍵１１０ａと黒鍵１１０ｂの静荷重は一律に変化するので、白鍵１１０ａと黒鍵１１０ｂとで静荷重の差が生ずることが防止される。従って、この静荷重可変装置を用いれば、静荷重に差が生ずることに伴う違和感を演奏者に感じさせることなく、演奏者の好みに合わせバランスよく静荷重を調整することができる。
【００３３】
尚、上記実施形態では、ウエイトレバー１の演奏者側の端部を揃えた例について説明したが、図３および図４に示すように、非演奏者側の端部を揃えてもよいことはもちろんである。
［第２実施形態］
第２実施形態では、第１実施形態と異なる点のみ説明する。
【００３４】
ここで図５は、本実施形態の静荷重可変装置のウエイトレバー１と、鍵盤１１０、バランスピン１２２についてのみ示し、鍵盤１１０を上方から見た平面模式図である。
第２実施形態の静荷重可変装置は、ウエイトレバー１の長手方向の長さは統一されているが、その長手方向に垂直な断面積を、白鍵１１０ａと対になるものよりも黒鍵１１０ｂと対になるものの方が太くなるように形成した点が異なる。具体的には図５に示すように、ウエイトレバー１の長手方向の長さは白鍵１１０ａも黒鍵１１０ｂも同じだが、ウエイトレバー１の配列方向の幅が、白鍵１１０ａと対になるウエイトレバー１ａよりも黒鍵１１０ｂと対になるウエイトレバー１ｂの方が広くなるように形成した。
【００３５】
このようにすると一枚の平板から複数のウエイトレバー１を切り出す場合、その切り幅を変えるだけで、白鍵１１０ａあるいは黒鍵１１０ｂと対になるものとを区別して簡単に切り出せる。
［第３実施形態］
第３実施形態では、第１実施形態と異なる点のみ説明する。
【００３６】
ここで図６は、本実施形態の静荷重可変装置のウエイトレバー１と、鍵盤１１０、バランスピン１２２についてのみ示し、鍵盤１１０を上方から見た平面模式図である。
第３実施形態のウエイトレバー１は、低音から高音までを複数のブロック１１０ｃに分け、同じブロック１１０ｃ内では白鍵１１０ａと黒鍵１１０ｂとの静荷重が同じ変化量になるように構成し、他のブロック１１０ｃとは静荷重が異なるように構成した。具体的には、図６に示すように、高音側のブロック１１０ｃの鍵盤１１０には静荷重の変化量が小さい、すなわち全体に短いウエイトレバー１を用い、低音側のブロック１１０ｃの鍵盤１１０には静荷重の変化量が大きい、すなわち全体に長いウエイトレバー１を用いて構成する。
【００３７】
このようにすれば、静荷重可変装置を用いて静荷重を可変しても、同じブロック１１０ｃ内では黒鍵１１０ｂと白鍵１１０ａとで静荷重に差がつくことはないが、ブロック１１０ｃ毎に比較すると、高音側の静荷重よりも低音側の静荷重の方がより大きく静荷重が変化する。そのため、低音側のブロックの鍵盤１１０の静荷重と高音側のブロック１１０ｃの静荷重との差を、演奏者の好みに合わせて大きくしたり小さくしたりすることができる。
［第４実施形態］
ここで図７は、本実施形態の静荷重可変装置のウエイトレバー１と、鍵盤１１０、バランスピン１２２についてのみ示し、鍵盤を上方から見た平面模式図である。
【００３８】
各ウエイトレバー１は、図７に示すように、アーム１０６を操作して移動した移動量に応じて変化する各鍵盤１１０の静荷重の変化量が、低音側ほど大きい形状に形成されている。具体的には、図８に示すように、低音側から高音側に向かって段階的に長手方向の長さが長く形成されたウエイトレバー１を用いて、静荷重可変装置を構成した。
【００３９】
このように構成すると、ウエイトレバー１を移動して静荷重を変化させても、鍵盤１１０の静荷重は、高音側ほど小さく変化するので、高音側の静荷重に対する低音側の静荷重の割合が大きく変化することが防止される。従って、この静荷重可変装置を用いれば、その変化によって生じる違和感を演奏者に感じさせることなく、演奏者の好みに合わせバランスよく静荷重を調整することができる。
[第５実施形態]
ここで図９は、本実施形態の静荷重可変装置のウエイトレバー１と、鍵盤１１０、中筬１２１、バランスピン１２２についてのみ示し、鍵盤１１０の配列方向に垂直な鍵盤１１０の側面を見た側面模式図である。
【００４０】
本実施形態の静荷重可変装置の各ウエイトレバー１は、同一形状及び同一重量で形成され、鍵盤１１０の配列方向に沿って平行に並べられ、他端側が鍵盤１１０の配列方向に沿った回転軸に回動可能に支持されている。
【００４１】
突起１１１は、アーム１０６（図８参）を操作して移動した移動量に応じて変化する各鍵盤１１０の静荷重の変化量が、白鍵１１０ａと黒鍵１１０ｂとで同じになるよう、白鍵１１０ａに取り付けられているものよりも黒鍵１１０ｂに取り付けられているものの方が、ウエイトレバー１の他端側に近い位置に設置されている。
【００４２】
このようにすると、各ウエイトレバー１を、同一形状及び同一重量で形成すればよいので、製造が簡素化される。
しかも、この本実施形態では、白鍵１１０ａに取り付けられているものよりも黒鍵１１０ｂに取り付けられているものの方が、ウエイトレバー１の他端側に近い位置に突起を設置するだけの簡単な位置決め作業を行うだけで、アーム１０６を操作して移動した移動量に応じて変化する各鍵盤１１０の静荷重の変化量が、白鍵１１０ａと黒鍵１１０ｂとで同じになるように調整することができる。
【００４３】
尚、ウエイトレバー１を、低音から高音までを複数のブロックに分け、静荷重の変化量を、そのブロック毎に設定し、かつ、低音側ほど大きくなるよう設定し、突起を、各ブロックごとに設定された静荷重の変化量となる位置に設置してもよい。
【００４４】
以上、本発明の実施形態ついて説明したが、本発明はこの実施形態に何等限定されるものではなく、本発明の要旨を逸脱しない範囲において、種々なる態様で実施し得ることは勿論である。
【００４５】
尚、支持部材１０２とストッパレール１０３とフレンジ１０４が本発明の支持手段、レール１０１とアーム１０６が本発明の移動手段に相当する。
【図面の簡単な説明】
【００４６】
【図１】本第１実施形態の静荷重可変装置のウエイトレバー１と、鍵盤１１０、中筬１２１、バランスピン１２２についてのみ示し、鍵盤１１０の配列方向に垂直な鍵盤１１０の側面を見た側面模式図である。
【図２】第１実施形態の静荷重可変装置のウエイトレバー１と、鍵盤１１０、バランスピン１２２についてのみ示し、鍵盤を上方から見た平面模式図である。
【図３】第１実施形態の変形例である静荷重可変装置のウエイトレバー１と、鍵盤１１０、中筬１２１、バランスピン１２２についてのみ示し、鍵盤１１０の配列方向に垂直な鍵盤１１０の側面を見た側面模式図である。
【図４】第１実施形態の変形例の静荷重可変装置のウエイトレバー１と、鍵盤１１０、バランスピン１２２についてのみ示し、鍵盤を上方から見た平面模式図である。
【図５】第２実施形態の変形例である静荷重可変装置のウエイトレバー１と、鍵盤１１０、バランスピン１２２についてのみ示し、鍵盤を上方から見た平面模式図である。
【図６】第３実施形態の静荷重可変装置のウエイトレバー１と、鍵盤１１０、バランスピン１２２についてのみ示し、鍵盤を上方から見た平面模式図である。
【図７】第４実施形態の静荷重可変装置のウエイトレバー１と、鍵盤１１０、バランスピン１２２についてのみ示し、鍵盤を上方から見た平面模式図である。
【図８】第５実施形態の静荷重可変装置のウエイトレバー１と、鍵盤１１０、中筬１２１、バランスピン１２２についてのみ示し、鍵盤１１０の配列方向に垂直な鍵盤１１０の側面を見た側面模式図である。
【図９】従来の静荷重可変装置を、鍵盤の配列方向に沿った側面からみた側面模式図である。
【図１０】従来の静荷重可変装置のウエイトレバー１と、鍵盤１１０、中筬１２１、バランスピン１２２についてのみ示し、鍵盤１１０の配列方向に垂直な鍵盤１１０の側面を見た側面模式図である。
【図１１】従来の静荷重可変装置のウエイトレバー１と、鍵盤１１０、バランスピン１２２についてのみ示し、鍵盤を上方から見た平面模式図である。
【符号の説明】
【００４７】
１，１０５・・・ウエイトレバー、１００・・・静荷重可変装置、１０１・・・レール、１０１ａ・・・上レール、１０１ｂ・・・下レール、１０２・・・支持部材、１０３・・・ストッパレール、１０４・・・フレンジ、１０６・・・アーム、１１０・・・鍵盤、１１０ａ・・・白鍵、１１０ｂ・・・黒鍵、１１１・・・キャプスタンスクリュー、１１２・・・キャプスタンワイヤ、１１３・・・キャプスタンボタン、１２０・・・棚板、１２１・・・中筬、１２２・・・バランスピン、１２３・・・取付部、１３０・・・打弦装置、１３１・・・ウィペン
【図１】
2005208244.tif 000003
【図２】
2005208244.tif 000004
【図３】
2005208244.tif 000005
【図４】
2005208244.tif 000006
【図５】
2005208244.tif 000007
【図６】
2005208244.tif 000008
【図７】
2005208244.tif 000009
【図８】
2005208244.tif 000010
【図９】
2005208244.tif 000011
【図１０】
2005208244.tif 000012
【図１１】
2005208244.tif 000013